【事件の表示】
　特願２００５−１２１３３４「ダイレクトプリンティングのためのマルチメディアデータの提供方法、ダイレクトプリンティング方法及びその装置」拒絶査定不服審判事件〔平成１７年１１月２４日出願公開、特開２００５−３２７２６８〕について、次のとおり審決する。
【結　論】
　本件審判の請求は、成り立たない。
【理　由】
１．手続の経緯
　本願は、平成１７年４月１９日（パリ条約優先権主張、２００４年５月１２日、同年７月２８日、韓国）の出願であって平成１９年８月３１日付けで拒絶査定がなされ、これに対して平成１９年１２月３日に拒絶査定に対する審判が請求されるとともに、同年１２月２８日付けで手続補正がなされたものである。
　
２．平成１９年１２月２８日付け手続補正について
［補正却下の決定の結論］
　平成１９年１２月２８日付け手続補正（以下「本件補正」という。）を却下する。
［理由］
　補正後の本願発明
　本件補正により、補正前の特許請求の範囲の請求項２１を引用する請求項２２は補正後の請求項１として次のとおり補正された。
「印刷しようとするイメージデータのリンク情報と、イメージデータの印刷フォーマットを示すレイアウトの情報と、印刷しようとするテキスト情報とを有する第１マークアップ文書を生成する段階と、
　 所定のインターフェースを介して印刷装置へ、生成された前記第１マークアップ文書を伝送する段階と、
 を具備し、
 　前記レイアウトは、第２マークアップ文書を用いて生成されるとともに、前記レイアウトの情報は前記第２マークアップ文書のリンク情報であることを特徴とするダイレクトプリンティングのためのデータ供給方法。」
　
　上記補正は、本件補正前の請求項２１を引用する請求項２２に記載した発明を特定するために必要な事項である「プリンティング作業のためのデータ供給方法」を「ダイレクトプリンティングのためのデータ供給方法」と限定し、「前記レイアウト情報は第２マークアップ文書のリンク情報を含む」とあるのを「前記レイアウトの情報は前記第２マークアップ文書のリンク情報である」と限定するものであって、特許法第１７条の２第４項第２号の特許請求の範囲の減縮を目的とするものに該当する。
　そこで、本件補正後の前記請求項１に記載された発明（以下、「本願補正発明」という。）が特許出願の際独立して特許を受けることができるものであるか（特許法第１７条の２第５項において準用する同法第１２６条第５項の規定に適合するか）について以下に検討する。
　
（１）引用刊行物
　原査定の拒絶の理由に引用された、本願の優先日前に頒布された刊行物「国際公開第０３／０８５５１０号」（以下、「引用刊行物１」という。）には図面とともに以下の記載がある。
「本発明に従うプリンタは、ページに配置された画像エリアを含んだページレイアウト中のその画像エリアに画像が関連付けられたページを印刷するための印刷ジョブを表す印刷ジョブファイルを取得する手段と、前記取得した印刷ジョブファイルに基づいて印刷を行う印刷手段とを備える。
　好適な実施形態では、プリンタは、ページレイアウトを記述したレイアウトファイルを記憶している記憶手段を更に備える。
　好適な実施形態では、ページレイアウトを記述したレイアウトファイル、及び、上記印刷ジョブファイルは、共に外部から供給される。
　好適な実施形態では、前記印刷ジョブファイルは、前記ページレイアウトが有する複数の画像エリアと該複数の画像エリアに画像を配置するための関連付け情報を備え、前記印刷手段は、前記関連付け情報に基づいて、前記複数の画像エリアの各々に画像が配置されたページを印刷する。」（第４頁第９〜２０行）
　
「本発明に従う方法は、画像エリアを含む所与のページレイアウトを定義するレイアウトファイルを識別するためのレイアウト識別情報と、特定画像の画像ファイルを識別するための画像識別情報とを含んだ印刷ジョブファイルを取得するための方法であって、印刷指令装置が、印刷ジョブファイルを主体的にジョブファイル取得装置に送信するステップと、前記ジョブファイル取得装置が、前記印刷指令装置から受信した印刷ジョブファイルに基づいて、レイアウトファイルと画像ファイルとをデータソース（例えば同一の又は別々のデータソース）から主体的に取得するステップとを有する。なお、この方法は、更に、ジョブファイル取得装置が、該画像ファイルに対応する画像を該レイアウトファイルが指示するページレイアウトに従って再生するステップを有しても良い。また、印刷指令装置は、データソースを兼ねても良いし、別の装置であっても良い。」（第１１頁第１２〜２３行）
　
「発明を実施するための最良の形態
　以下、本発明の実施の形態を図面を参照して説明する。
　図１は、本発明の第１の実施形態に係るプリントシステムを示す。
　第１の実施形態に係るプリントシステムは、デジタルカメラ１で撮影された写真の画像の印刷ジョブをデジタルカメラ１内で生成し、そこで生成された印刷ジョブをプリンタ１３で実行することによって、デジタルカメラ１で撮影された写真画像の印刷を行うことができるようになっている。換言すれば、このプリントシステムでは、プリンタ１３は、デジタルカメラ１から、そのデジタルカメラ１内にある写真の画像ファイルを直接（すなわち図示しないホスト装置を介さずに）読みこんで印刷することができるスタンドアロンマシンとしての機能を備えている。
　このプリントシステムでは、デジタルカメラ１は、生成した印刷ジョブをファイル形式にして出力する機能を備えており、プリンタ３は、デジタルカメラ１から出力された印刷ジョブを表したファイルの解析を行い、その解析結果に基づいて印刷を行う機能を備えている。これによれば、印刷ジョブはファイルとなっているので、デジタルカメラ１で生成された印刷ジョブを、メモリカードやＭＯ（Ｍａｇｎｅｔｉｃ　Ｏｐｔｉｃａｌ　ｄｉｓｋ）等の可搬記録媒体に記録して所望の別の装置（例えば、パーソナルコンピュータ、携帯電話機、プリンタ等）へ持ち歩き、その別の装置を利用して、デジタルカメラ１で生成された印刷ジョブを所望するように利用する（例えば、編集する、電子メールやＷＷＷサービス等を利用して所望の宛先装置へ送信する、或いは、印刷する等）ことができる。
　以下、このプリントシステムにおけるデジタルカメラ１及びプリンタ１３について詳述する。
　この実施形態に係るデジタルカメラ１は、写真を撮影しその写真の画像を記憶する機能を搭載することができる機器であれば、どのような機器にも適用することができる（すなわち、デジタルカメラそれ自体は勿論、携帯電話機又はＰＤＡ等にも適用することができる）。このデジタルカメラ１は、レイアウト定義ファイル記憶部３と、レイアウト定義ファイル解釈部５と、フレーム表示部７と、撮影部９と、印刷ジョブファイル生成部１１とを備える。
　レイアウト定義ファイル記憶部３は、レイアウト定義ファイルを記憶している。ここで、「レイアウト定義ファイル」とは、１以上の画像エリアを含んだページレイアウトに関する情報を記述したファイルのことである。レイアウト定義ファイルは、所定形式のファイル、例えばテキスト形式又はＸＭＬ形式のファイルであって、そのファイルには、ページレイアウトのキーワード（例えば、クリスマス、グリーティング等）や、ページレイアウトの表示方向（例えば、縦方向又は横方向）や、ページレイアウト内の各画像エリアの属性情報（例えば、後述するフォトＩＤ、入れ込まれる画像の回転度合、位置合わせ方法、フィッティング規則、配置など）などが記述される。また、ページレイアウトに含まれる複数の画像エリアのうち、入れ込まれる写真や飾り部品の画像が予め決まっている場合には、レイアウト定義ファイルには、その画像の画像ファイルのポインタ（例えば、ファイル名とパス名）も記述される（レイアウト定義ファイルについては、後に詳細する）。なお、ここで、「飾り部品」とは、例えば、背景や、飾り枠や、挿絵や、その他の文字、図形、図柄、模様など、ページレイアウトの装飾品として利用可能なもののことである。
　レイアウト定義ファイル解釈部５は、レイアウト定義ファイル記憶部３からレイアウト定義ファイルを読込んで、そのレイアウト定義ファイルの解釈を行う。また、レイアウト定義ファイル解釈部５は、外部からデジタルカメラ１に入力されたレイアウト定義ファイル（具体的には、所定のソフトウェアで作成又は編集されたレイアウト定義ファイル）４も解釈することができる。
　フレーム表示部７は、レイアウト定義ファイル解釈部５の解釈結果に応答して、その解釈結果に基づいてページレイアウトを生成し、そのページレイアウトを、デジタルカメラ１のファインダ又はディスプレイ画面（共に図示せず）に表示する。その結果、ファインダ又はディスプレイ画面に表示されたページレイアウト中の画像エリアを通して表示される画像は、カメラの視野、換言すれば、撮影することによってその画像エリアに入れ込まれる写真の画像となる。なお、ここで、表示されるページレイアウト中に、画像を入れ込むことができる画像エリア（すなわち、空き状態である画像エリア）が複数個存在する場合には、フレーム表示部７が、それら複数の画像エリアのうちユーザ所望の画像エリアの選択をユーザから受けて、ユーザに選択された画像エリアを通して、カメラの視野が表示されるようにしても良い（すなわち、一つのページレイアウトに対して、画像エリアの数と同数の写真画像が適用されても良い）。また、それら複数の画像エリアの全部を通してカメラの視野が表示されるようにしても良い（すなわち、複数の画像エリアがあっても、一つのページレイアウトに対して一つの写真画像のみが適用されても良い）。
　撮影部９は、ユーザの撮影操作に応答して、その時点のカメラの視野を写した写真画像を記憶し、且つ、その写真画像を、所定形式（例えばＪＰＥＧ形式）の画像ファイルにして所定の場所（例えば、デジタルカメラ１に内蔵のメモリ）に格納する。
　印刷ジョブファイル生成部１１は、以下のようにして、ファイル形式の印刷ジョブを生成する。すなわち、印刷ジョブファイル生成部１１は、ページレイアウトの画像エリアを介したカメラ視野がファインダ又はディスプレイ画面に表示されている状態で写真が撮影されたとき、その状態で撮影された写真の画像を、ファインダ又はディスプレイ画面に表示されている画像エリア（以下、ターゲット画像エリア）に入れ込む画像として選択する。そして、印刷ジョブファイル生成部１１は、現在表示されているページレイアウトのレイアウト定義ファイルと、選択された写真画像の画像ファイルとを用いて印刷ジョブを生成し、それに基づいて印刷ジョブファイルを生成する。生成された印刷ジョブファイルは、所定のタイミングで（例えば、デジタルカメラ１がユーザから印刷ジョブファイルの転送命令を受けたときに）デジタルカメラ１とプリンタ１３を結ぶケーブルを介してプリンタ１３へ転送される。或いは、生成された印刷ジョブファイルは、デジタルカメラ１に装着されているメモリカード等の可搬記録媒体に格納され、ユーザが、その可搬記録媒体をデジタルカメラ１から取り外し、プリンタ１３へ装着することで、プリンタ１３に取り込まれる。
　ここで、「印刷ジョブファイル」とは、所定の形式、例えばテキスト形式又はＸＭＬ形式のファイルである。印刷ジョブファイルには、少なくとも、ページレイアウトを定義するレイアウト定義ファイルとの関連性（例えばレイアウト定義ファイルを識別するためのレイアウト識別情報）と、写真画像の画像ファイルとの関連性（例えばその画像ファイルを識別するための画像識別情報）とが記述されたファイルである。例えば、プリンタは、その印刷ジョブファイルを解釈すれば、それに記述されている関連性に基づいて、ページレイアウトと特定の画像とを取得し、そのページレイアウト中の画像エリアにその特定の画像を適用したページデザインを印刷することが可能である。
　なお、印刷ジョブファイルには、例えば、印刷に必要な印刷条件（例えば、用紙の種類、サイズ、印刷部数、画像の補正方法など）の全て又は一部が記述されていても良い。印刷条件の一部が記述されている場合には、例えば、所定のデータソース（一例として、プリンタ内のメモリ等の記録媒体）に残りの印刷条件が記憶されていて、プリンタは、印刷ジョブファイルに記述されている一部の印刷条件と、前記所定のデータソースに記述されている残りの印刷条件とに基づいて印刷を実行することができる。」（第１２頁第２２行〜第１７頁第２行）
　
「プリンタ１３には、ジョブファイル実行部１４と、印刷部２３とが備えられ、ジョブファイル実行部１４には、印刷ジョブファイル解析部１５と、レイアウト定義ファイル解釈部１７と、画像生成部１９と、画像合成部２１とが備えられる。このプリンタ１３は、例えば、可搬記録媒体が装着された場合には、可搬記録媒体内を自動的に検索し始め、その結果、印刷ジョブファイルが格納されていることを検出したら、自動的に、その印刷ジョブファイルを解析して印刷ジョブを実行することができる。
　印刷ジョブファイル解析部１５は、プリンタ１３に取り込まれた印刷ジョブファイルの解析（具体的には、印刷ジョブファイルと、レイアウト定義ファイル及び画像ファイルとの関連付けの解析）を行う。
　レイアウト定義ファイル解釈部１７は、印刷ジョブファイル解析部１５の解析結果に応答し、その解析結果に基づいて、印刷ジョブファイルに関連付けられているレイアウト定義ファイルの解釈を行う。
　画像生成部１９は、レイアウト定義ファイル解釈部１７の解釈結果に応答し、印刷ジョブファイルの解析結果と、レイアウト定義ファイルの解釈結果とに基づいて、レイアウト定義ファイルに記述されているページレイアウト中の各ターゲット画像エリアに適用するべき各画像を生成する（例えば、各画像の画像ファイルがＪＰＥＧ形式の画像ファイルであれば各画像ファイルを展開して各画像ファイル中の画像を取得する）。
　画像合成部２１は、画像生成部１９の動作に応答し、印刷ジョブファイルの解析結果と、レイアウト定義ファイルの解釈結果とに基づいて、画像生成部１９に生成された各画像を、レイアウト定義ファイルに記述されているページレイアウト中の各ターゲット画像エリアに合成して完全なページデザインを生成する。また、画像合成部２１は、各画像について補正方法等の画像編集条件が設定されている場合には、各画像編集条件に基づいて各画像を処理する（例えば、画像の明度を高くする等）。
　印刷部２３は、画像合成部２１によって生成された完全なページデザインを、印刷ジョブファイルの解析結果に基づいて印刷を実行する（例えば、印刷ジョブファイル中に印刷条件として用紙サイズが「Ａ４」と記述されている場合には、Ａ４サイズの用紙に完全なページデザインを印刷する、もしくは、レイアウトファイル中の用紙サイズの指定に従っても良い）。
　以上が、第１の実施形態に係るプリントシステムにおけるデジタルカメラ１とプリンタ１３の説明である。ここで、上述した印刷ジョブファイルと、レイアウト定義ファイルとについて詳細に説明する。」（第１７頁第３行〜第１８頁第１１行）
　
「図２は、印刷ジョブファイルのデータ構造を示す。
　この図に示すように、印刷ジョブファイル２５には、付属のファイル３２として、レイアウト定義ファイル３３と、１以上の（図示の例では３つの）写真の画像ファイル３５Ａ、３５Ｂ、３５Ｃとが関連付けられている。レイアウト定義ファイル３３に記述されているページレイアウトに適用されるべき１以上の飾り部品が決まっている場合には、レイアウト定義ファイル３３には、１以上の（図示の例では１つの）飾り部品の画像ファイル３４が関連付けられている（飾り部品の画像ファイル３４中の画像は、ベクトル形式の画像であっても良いし、ラスタ形式の画像であっても良い）。
　印刷ジョブファイル２５には、ヘッダ情報２７と、ジョブパラメータ２９と、ジョブデータ３１とが記述されており、ジョブデータ３１の記述中に、レイアウト定義ファイル３３との関連性（以下、レイアウト定義ファイルポインタ）の記述と、写真の画像ファイル３５Ａ、３５Ｂ、３５Ｃとの関連性（画像ファイルポインタ）の記述とが含まれている。
　図３は、印刷ジョブファイル２５の記述の一例を示す。
　印刷ジョブファイル２５は、先述したように、例えばテキスト形式のファイルであって、このファイル２５には、ヘッダ情報２７と、１以上のジョブパラメータ２９Ａ、２９Ｂと、１以上のジョブデータ３１Ａ、３１Ｂとが記述される。なお、この図に例示する印刷ジョブファイル２５は、２つの印刷ジョブについて記述されたものであり、それ故、２つのジョブデータ３１Ａ、３１Ｂが記述されている。
　ヘッダ情報２７は、印刷ジョブファイル２５の先頭に記述される情報である。ヘッダ情報２７には、例えば、印刷ジョブファイル２５のバージョン等が含まれる。
　ジョブパラメータ２９Ａ、２９Ｂは、２つの印刷ジョブに対する印刷条件であり、各印刷ジョブに対して一つずつ記述される、換言すれば、印刷条件は、印刷ジョブ毎に設定することができる（なお、複数の印刷ジョブに対して共通の印刷条件を設定することもできる）。ジョブパラメータ２９Ａ、２９Ｂには、設定されている印刷条件の情報として、例えば、図３に例示のように、紙質（「Ｐａｐｅｒ　Ｔｙｐｅ」と図示）の情報、用紙サイズ（「Ｐａｐｅｒ　Ｓｉｚｅ」と図示）の情報、及びページレイアウト（「Ｌａｙｏｕｔ」と図示）の情報がある。
　ここで、「紙質の情報」とは、印刷条件として設定されている紙質のことであり、設定可能な紙質には、例えば、普通紙、光沢紙、ＯＨＰシート、シール用紙など様々なものがある。同様に、「用紙サイズの情報」とは、印刷条件として設定されている用紙サイズ（つまり、完全なページデザインを印刷するための用紙サイズ）のことであり、設定可能な用紙サイズには、例えば、はがきサイズ、Ａ４、Ａ３、Ａ４ロール紙、２Ｌ版、Ｌ版など様々なものがある。「ページレイアウトの情報」とは、上述したレイアウト定義ファイルポインタ、すなわち、印刷ジョブファイル２５とレイアウト定義ファイル（ページレイアウトを記述したファイル）３３との関連性の情報のことであり、具体的には例えば、レイアウト定義ファイル３３のファイル名（「１００．ｕｓｄ」、「２００．ｕｓｄ」と図示）と相対パス名のことである（ここで言う「相対パス」とは、印刷ジョブファイル２５の存在場所からレイアウト定義ファイル３３へアクセスするためのパスのことであり、図示の例では、印刷ジョブファイル２５とレイアウト定義ファイル３３は同一のフォルダ内に保存されているため、レイアウト定義ファイルポインタとして記述されているのはレイアウト定義ファイル３３のファイル名のみとなっている）。なお、相対パス名に代えて、どの装置で利用しても使用し得る絶対的なパス名、例えば、ＵＲＬ（Ｕｎｉｆｏｒｍ　Ｒｅｓｏｕｒｃｅ　Ｌｏｃａｔｏｒ）を採用することも可能である。
また、図３に例示してないが、設定可能な印刷条件として、印刷モード（例えば、通常印刷、インターレース印刷など）、印刷枚数（何枚印刷するか）、印刷部数（何部印刷するか）、印刷品質（高画質、最高画質、高速、印刷速度を優先、画質を優先など）、地域コード、トリミング有無、カットライン有無（例えば、ミシン目を入れるか否か）、カメラ情報印刷有無、用紙カット有無、有効日時情報（何時であれば印刷することが許可されるか）、など種々のものが採用されても良い。
　ジョブデータ３１Ａ、３１Ｂには、印刷ジョブファイル２５に関連付けられている画像ファイルに関する情報が記述される。「画像ファイルに関する情報」とは、上述した画像ファイルポインタ、すなわち、印刷ジョブファイル２５と画像ファイル３５Ａ、３５Ｂ、３５Ｃとの関連性の情報と、画像ファイル３５Ａ、３５Ｂ、３５Ｃ中の各画像に対する後述の画像編集条件とが含まれた情報である。
図示の例から、２つの印刷ジョブにおいて、３つの画像ファイル３５Ａ、３５Ｂ、３５Ｃが共通に使用されることがわかる。
　画像ファイルポインタは、具体的には例えば、各画像ファイル３５Ａ、３５Ｂ、３５Ｃのファイル名（例えば「ＤＳＣ００００１．ＪＰＧ」と図示）と相対パス名（例えば「￥ＤＣＩＭ￥１００ＳＡＮＤ￥」と図示）のことである（ここで言う「相対パス」とは、印刷ジョブファイル２５の存在場所から画像ファイル３５Ａ、３５Ｂ、３５Ｃへアクセスするためのパスのことである）。なお、勿論、相対パス名に代えて、上述した絶対的なパス名を採用しても良い。」（第１８頁第１２行〜第２１頁第９行）
　
「ところで、これまでに説明内容と重複するかもしれないが、以下、他の別の実施形態について説明する。
　（Ａ）第１の別の実施形態
　装置間で印刷ジョブファイルを受け渡す方法は、メモリーカード等の可搬型記録媒体を介して受け渡す方法の他に、例えばコマンドで受け渡す方法がある。以下、詳述する。
　図１０は、画像出力装置と画像供給装置との間で使用されるプロトコルの一例を示す。
　まず、物理層として、ＵＳＢ（Ｕｎｉｖｅｒｓａｌ　Ｓｅｒｉａｌ　Ｂｕｓ）ケーブルである通信路５０３が使用される。そして、画像出力装置５０１及び画像供給装置５０２では、その物理層を制御する層として、ＵＳＢ層があり、ＵＳＢクラスとしてスチルイメージクラス（ＳＩＣ）が使用される。これにより、データ伝送路が実現される。なお、通信路５０３にＵＳＢを使用する場合、画像出力装置５０１がホストとなり、画像供給装置５０２がデバイスとなることができる。
　ＵＳＢ層の上位には、デジタル静止画処理装置の外部からの制御やデジタル静止画処理装置の外部への画像データ転送を規定した画像転送プロトコル（ＰＴＰ）が使用される。なお、ＰＴＰの標準規格としては、例えば、「ＰＨＯＴＯＧＲＡＰＨＩＣ　ＡＮＤ　ＩＭＡＧＩＮＧ　ＭＡＮＵＦＡＣＴＵＲＥＲＳ　ＡＳＳＯＣＩＡＴＩＯＮ，ＩＮＣ」の「ＰＩＭＡ１５７４０：２０００」がある。ＰＴＰは、デジタル静止画処理装置間での画像データの交換のための通信方式を提供するプロトコルであり、ＰＴＰでは、ストレージ内のオブジェクト（例えば画像ファイル）は、パスではなく、オブジェクトＩＤ（オブジェクトハンドル）で指定される。
　上述のＰＴＰの上位で、デジタルカメラ等の画像供給装置５０２（換言すればデータ出力装置）に格納された画像データを、通信路５０３を介して直接、プリンタなどの画像出力装置５０１（換言すればデータ入力装置）へ供給し、印刷（例えばパーソナルコンピュータ等を介さない直接的な印刷）を行なうためのプロトコルが使用される。このプロトコル（以下、「ＤＰＳ（ダイレクトプリントサービス）プロトコル」と言う）では、画像出力装置５０１と画像供給装置５０２との間で、画像出力に係る制御情報が、マークアップ言語（例えばＸＭＬ（ｅＸｔｅｎｓｉｂｌｅ　Ｍａｒｋｕｐ　Ｌａｎｇｕａｇｅ））で記述した一連のスクリプトとして通信路５０３を介して送受信される。なお、画像出力に係る制御情報としては、画像出力処理における各種コマンド、そのコマンドに対する応答、及び装置の状態の通知などがある。また、このスクリプトには、例えば、制御情報のみが含まれ、画像出力の対象となる画像データ自体は含まれない。すなわち、画像データファイルの格納場所などの情報はこのスクリプトに含まれるが、画像データそのものは含まれない。
　以上のようなプロトコルが採用された通信環境下において、画像供給装置５０２は、コマンドにより、画像出力装置５０１に印刷ジョブファイルを提供することができる。
　すなわち、例えば、画像供給装置５０２は、印刷ジョブファイルの識別情報（例えば、ファイル名、相対パス又は絶対パス）を含んだコマンドを画像出力装置５０１に送信する（印刷ジョブファイルそれ自体をコマンドとして送信しても良い）。
　画像出力装置５０１は、そのコマンドを解釈し、そのコマンドに含まれている印刷ジョブファイルの識別情報に基づいて、画像供給装置５０２に印刷ジョブファイルの取得を要求する（例えば、その識別情報に対応した印刷ジョブファイルを指定するためのオブジェクトＩＤを含んだファイル要求コマンドを送信する）。
　画像供給装置５０２は、それに応答して、要求された印刷ジョブファイル（例えば、受信したコマンドに含まれているオブジェクトＩＤから特定される印刷ジョブファイル）を画像出力装置５０１に送信する（なお、その際、画像供給装置５０２は、送信対象の印刷ジョブファイルを解釈し、その印刷ジョブファイルに関連付けられているレイアウトファイルや画像ファイルも、所定のタイミングで（例えば印刷ジョブファイルと一緒に）送信しても良い（これは、例えば、画像出力装置５０１からレイアウトファイル及び画像ファイルの取得要求を受けることなく自動的に行なっても良い））。
　画像出力装置５０１は、画像供給装置５０２から印刷ジョブファイルを受信し、ＲＡＭ等のメモリに一時的に保存する。次に、画像出力装置５０１は、メモリに保存されている印刷ジョブファイルを解釈し、その印刷ジョブファイルに記述されているレイアウト識別情報及び画像識別情報に基づいて、その識別情報（例えば、ファイル名、相対パス又は絶対パス）から識別されるレイアウトファイル及び画像ファイルの場所を認識する。そして、画像出力装置５０１は、その場所を持つ画像供給装置５０２又は別の画像供給装置（例えば通信ネットワーク上のサーバ）にアクセスし、その場所（例えば、上記識別されるレイアウトファイルや画像ファイルが格納されているハードディスク等の記憶装置）から、上記識別されるレイアウトファイル及び画像ファイルを例えば一部分ずつ（例えば８ビット単位で）取得する。
　なお、その後、画像出力装置５０１（例えばプリンタ）は、取得したレイアウトファイル、画像ファイル及び印刷ジョブファイルに基づき、そのレイアウトファイルが表すページレイアウトの画像エリアに、その画像ファイルが表す画像を適用した完全なページデザインを再生（例えば、ディスプレイ画面に表示、又は印刷）しても良い。具体的には、例えば、画像出力装置５０１（例えば画像出力装置５０１のＣＰＵ）は、取得したレイアウトファイルが表すページレイアウトを、画像出力装置５０１内のメモリ（例えばＲＡＭ）に描く。そして、画像出力装置５０１は、取得した印刷ジョブファイルに基づいて、メモリに描かれたページレイアウトの画像エリアに、取得した画像ファイルが表す画像を適用した完全なページデザインをメモリ上に展開して再生（例えば、ディスプレイ画面に表示、又は印刷）することができる。」（第４５頁第９行〜第４８頁第１６行）
　
　これら引用刊行物１の記載から、引用刊行物１には以下の発明（以下、「引用発明」という。）が記載されているものと認められる。
「デジタルカメラで印刷ジョブファイルを生成し、生成したジョブファイルをホスト装置を介さずにデジタルカメラとプリンタを結ぶケーブルを介して直接プリンタに送信してデジタルカメラの画像の印刷を行うプリントシステムであって、
　印刷ジョブファイルは、レイアウト定義ファイルとの関連性（レイアウト定義ファイルポインタ）と、画像ファイルとの関連性（画像ファイルポインタ）が記述され、
　印刷ジョブファイル、レイアウト定義ファイルはそれぞれ、マークアップ言語（ＸＭＬ形式）のファイルであり、
　レイアウト定義ファイルポインタと画像ファイルポインタはそれぞれＵＲＬであり、
　レイアウト定義フィルは、画像のレイアウトを定義し、プリンタは該レイアウト定義ファイルに定められたレイアウトで画像を印刷する、
　プリントシステム。」
　
　原査定において周知技術を示す文献として提示された、本願の優先日前に頒布された刊行物「特開２００４−１２７１３３号公報」（以下、「引用刊行物２」という。）には図面とともに以下の記載がある。
「【０００２】
【従来の技術】
ＷＷＷ（Ｗｏｒｌｄ　Ｗｉｄｅ　Ｗｅｂ）の発達に伴い、ＨＴＭＬやＸＭＬ（ｅＸｔｅｎｓｉｂｌｅ　ＭａｒｋｕｐＬａｎｇｕａｇｅ）などのマークアップ言語で記述された文書が様々な場所にあふれている。このようなＨＴＭＬ等の文書を印刷する場合、従来はパーソナルコンピュータ上のブラウザとプリンタドライバがレイアウトやページ分割を行ってページイメージを作成し、これをプリンタに送信して印刷させることが一般的である。
【０００３】
近年、ＰＤＡ（Ｐｅｒｓｏｎａｌ　Ｄａｔａ　Ａｓｓｉｓｔａｎｔ）やデータ通信機能を持つ携帯電話等の普及により、ＰＤＡ等からＨＴＭＬ等の文書をプリンタに送って印刷させたいという要望が高まっているが、ＰＤＡ等は高機能なプリンタドライバ等を搭載できなかったり、メモリ容量の制限が厳しかったりすることも多い。そこで、ＨＴＭＬ等の文書を直接プリンタに送信して印刷させたり（ダイレクトプリントと呼ばれる）、ＰＤＡ等からプリンタにＵＲＬ（Ｕｎｉｆｏｒｍ　Ｒｅｓｏｕｒｃｅ　Ｌｏｃａｔｏｒ）を送り、プリンタがそのＵＲＬに従って文書をダウンロードして印刷したり（プルプリントと呼ばれる）する印刷サービス形態が提案されている。」（第５〜６頁）
　
「【００２４】
まず図４の例は、ＨＴＭＬ文書の例であり、テキストの文書要素４０２，４０４，４０６の後に、イメージの文書要素４０８，４１２，４１６とテキストの文書要素４１０，４１４，４１８が交互に記述されている。この例では、テキストの文書要素は、その内容が該要素の開始タグと終了タグの間に記述されており、イメージの文書要素は、その表示内容のデータをＵＲＬで参照している。この例では、それらＵＲＬが示すデータがそのＨＴＭＬ文書の外に存在するので、この文書を印刷する際には、それらＵＲＬを用いてイメージデータをダウンロードする必要がある。」（第８頁〜第９頁）
　
（２）対比
　本願補正発明と引用発明を対比すると、
　引用発明の「プリンタ」及び「画像」は、それぞれ、本願補正発明の「印刷装置」及び「イメージデータ」に相当する。
　引用発明の「印刷ジョブファイル」、「レイアウト定義ファイル」はそれぞれ、マークアップ言語（ＸＭＬ形式）のファイルであるから、引用発明の「印刷ジョブファイル」、「レイアウト定義ファイル」は、それぞれ、本願補正発明の「第１マークアップ文書」、「第２マークアップ文書」に相当する。
　また、引用発明の印刷ジョブファイルにＵＲＬで記述された、レイアウト定義ファイルとの関連性を示す「レイアウト定義ファイルポインタ」、及び、画像ファイルとの関連性を示す「画像ファイルポインタ」は、それぞれ、本願補正発明の、「第２マークアップ文書のリンク情報」、印刷しようとする「イメージデータのリンク情報」に相当する。
　また、引用発明のデジタルカメラで生成された印刷ジョブファイルはケーブルを介してプリンタに送信されているが、当該ケーブルを介した送信が、デジタルカメラの所定のインターフェースを介してなされることは当然のことである。
　また、引用発明は、デジタルカメラで印刷ジョブファイルを生成し、生成したジョブファイルをホスト装置を介さずにデジタルカメラとプリンタを結ぶケーブルを介して直接プリンタに送信して、デジタルカメラの画像の印刷を行うプリントシステムであるから、引用発明には、本願発明の「ダイレクトプリンティング」における「データ供給方法」が記載されているということができる。
　
したがって、両者は
「印刷しようとするイメージデータのリンク情報と、イメージデータの印刷フォーマットを示すレイアウトの情報と、を有する第１マークアップ文書を生成する段階と、
　 所定のインターフェースを介して印刷装置へ、生成された前記第１マークアップ文書を伝送する段階と、
 を具備し、
 　前記レイアウトは、第２マークアップ文書を用いて生成されるとともに、前記レイアウトの情報は前記第２マークアップ文書のリンク情報であることを特徴とするダイレクトプリンティングのためのデータ供給方法。」の点で一致し、以下の点で相違する。
　
相違点
　本願補正発明の第１マークアップ文書は、イメージデータのリンク情報と、イメージデータの印刷フォーマットを示すレイアウトの情報と、印刷しようとするテキスト情報とを有しているのに対し、引用発明の第１マークアップ文書は、イメージデータのリンク情報と、イメージデータの印刷フォーマットを示すレイアウトの情報とを有しているが、印刷しようとするテキスト情報を有していない点。
　
（３）当審の判断
　以下、上記相違点について検討する。
　
　テキストデータとイメージデータを有するＨＴＭＬ等のマークアップ文書を作成し、印刷装置により印刷することはインターネット等において周知であって、ＨＴＭＬ等の文書を印刷装置で直接印刷することも引用刊行物２の従来技術の項に記載されているように周知である。
　また、デジタルカメラにおいてイメージデータと共にテキストデータを入力して、印刷装置においてイメージデータと共にテキストデータを印刷することは、特開平１０−１９１２２６号公報（段落【０１０４】、【０１０７】〜【０１１６】、ダイレクトプリントにおいて、デジタルカメラで画像の付加情報としてタイトル、メモ等をキー入力し、画像データと当該テキストデータをプリンタに送信し、プリンタにおいて、画像とともに付加情報をプリントすることが記載されている。）、特開２００２−３３０３９４号公報（段落【００２２】〜【００２３】、ダイレクトプリントにおいて、画像と共にコメント文等を印刷するために、デジタルカメラでキーボード等を利用して画像のコメント文等を入力し、印刷データを作成してプリンタに送信し、プリンタは印刷データに従い画像の印刷を行うことが記載されている。）に記載されているように周知である。
　そうすると、引用発明のダイレクトプリンティングのためのデータ供給方法において、イメージデータに加えてテキストも印刷すべく、印刷装置へ伝送されるイメージデータのリンク情報を含む第１マークアップ文書が印刷しようとするテキスト情報も有するようにして本願補正発明のように構成することは当業者が周知技術に基づいて容易になし得ることである。
　
　そして、本願補正発明のように構成したことによる効果も引用発明及び周知技術から予測できる程度のものである。
　
　したがって、本願補正発明（請求項１に係る発明）は、引用発明及び周知技術に基づいて当業者が容易に発明をすることができたものであるから、特許法第２９条第２項の規定により特許出願の際独立して特許を受けることができないものである。　
　
（４）むすび
　以上のとおりであるから、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
３．本願発明について
　平成１９年１２月２８日付け手続補正は上記のとおり却下されたので、本願の請求項２１を引用する請求項２２に係る発明（以下、「本願発明」という。）は、平成１９年８月８日付け手続補正書の特許請求の範囲の請求項２１を引用する請求項２２に記載された事項により特定される、以下のとおりのものである。
「【請求項２１】
　 印刷しようとするイメージデータのリンク情報と、イメージデータの印刷フォーマットを示すレイアウト情報と、印刷しようとするテキスト情報とを有する第１マークアップ文書を生成する段階と、
 　所定のインターフェースを介して印刷装置へ、生成された前記第１マークアップ文書を伝送する段階と、
 を具備することを特徴とするプリンティング作業のためのデータ供給方法。
【請求項２２】
 　前記レイアウトは、第２マークアップ文書を用いて生成されるとともに、前記レイアウト情報は第２マークアップ文書のリンク情報を含むことを特徴とする請求項２１に記載のデータ供給方法。」
　
（１）引用刊行物
　原査定の拒絶の理由に引用された引用刊行物及びその記載事項は、前記「２．（１）」に記載したとおりである。
　
（２）対比・判断
　本願発明は、前記「２．」で検討した本願補正発明から「プリンティング作業のためのデータ供給方法」を「ダイレクトプリンティングのためのデータ供給方法」と限定し、「前記レイアウト情報は第２マークアップ文書のリンク情報を含む」とあるのを「前記レイアウトの情報は前記第２マークアップ文書のリンク情報である」とする限定を削除したものである。
　そうすると、本願発明の構成要件を全て含みさらに限定を付したものに相当する本願補正発明が、前記「２．（３）」に記載したとおり、引用発明及び周知技術に基づいて、当業者が容易に発明をすることができたものであるから、本願発明も、同様の理由により、引用発明及び周知技術に基づいて、当業者が容易に発明をすることができたものである。
　
（３）むすび
　以上のとおり、本願発明（請求項２２に係る発明）は、引用発明及び周知技術に基づいて当業者が容易に発明をすることができたものである。
　したがって、本願はその余の請求項について論及するまでもなく、特許法第２９条第２項の規定により特許を受けることができない。
　
　よって、結論のとおり審決する。